(57)【要約】【課題】大型楽器を安定性よく運搬することができるようにした大型楽器用キャリーカートを提供する。【解決手段】左右縦杆２，２と上下横杆３，３からなる縦長の主枠体４を設け、該主枠体４の左右縦杆２，２の下端部に固定キャスター７，７を取り付け、下横杆３部に主枠体４に対して略直角に荷台８を取り付け、左右縦アーム９，９と下横アーム１０からなる補助枠体５を設け、該補助枠体５の左右縦アームの９，９下端部に自在キャスター１１，１１取り付け、左右縦アーム９，９の上部を主枠体４の上下方向中間部に揺動可能に連結し、主枠体４と補助枠体５とを所定の角度に固定するストッパー１７を備え、主枠体４の左右縦杆２，２の上端部にハンドル６を伸縮自在に連結する。【選択図】図１
0003230648.tif 000002
【実用新案登録請求の範囲】
【請求項１】
左右縦杆と上下横杆からなる縦長の主枠体を設け、該主枠体の左右縦杆の下端部に固定キャスターを取り付け、前記下横杆部に前記主枠体に対して略直角に荷台を取り付け、左右縦アームと下横アームからなる補助枠体を設け、該補助枠体の左右縦アームの下端部に自在キャスターを取り付け、前記左右縦アームの上部を前記主枠体の上下方向中間部に揺動可能に連結し、前記主枠体と前記補助枠体とを所定の角度に固定するストッパーを備え、前記主枠体の左右縦杆の上端部にハンドルを伸縮自在に連結したことを特徴とする大型楽器用キャリーカート。
【請求項２】
ハンドルは主枠体の左右縦杆の上端部に左右それぞれ独立して伸縮自在かつ回転自在に連結されている請求項１に記載の大型楽器用キャリーカート。
【請求項３】
補助枠体の左右縦アームの上部に楽器支え側板を前記左右縦アームの延長線に沿って配置可能に取り付けた請求項１又は２に記載の大型楽器用キャリーカート。
【考案の詳細な説明】
【技術分野】
【０００１】
本考案は、大型楽器を載せて運搬するのに好適な大型楽器用キャリーカートに関する。
【背景技術】
【０００２】
ギター等の大型楽器を自身で運搬する際に、楽器を保護しつつ少ない労力で運搬が可能となる楽器運搬用ケースがある（特許文献１）。この楽器運搬用ケースは、硬質素材を用いて製作された楽器運搬用ケースの取手がとりつけられた部位の反対側に、先端に車輪が取り付けられ折りたたみ収納が可能な可動脚を付設したもので、手に持って移動する際には車輪が地面に接するように脚を引き出してケースの重量を支えながら移動することにより、ケース内の楽器を保護するとともに、移動時にかかる労力を軽減するようにする。
【０００３】
しかしながら、ケースに車輪を収容するための車輪収納部を設けるため、該収納部の分だけケース内の楽器の収納スペースが狭くなる。このため、車輪を大きくするには限界があり、車輪が小さいと重い楽器を運搬するには安定性に欠けるという問題がある。そこで、チューバ、バリトンサックス等の大型楽器の運搬に適するキャリーカートが望まれる。
【先行技術文献】
【特許文献】
【０００４】
【特許文献１】実用新案登録第３１８７３０７号公報
【考案の概要】
【考案が解決しようとする課題】
【０００５】
そこで、本考案は、大型楽器を安定性よく運搬することができるようにした大型楽器用キャリーカートを提供することを目的とする。
【課題を解決するための手段】
【０００６】
上記課題を解決するために、請求項１に係る大型楽器用キャリーカートは、左右縦杆と上下横杆からなる縦長の主枠体を設け、該主枠体の左右縦杆の下端部に固定キャスターを取り付け、前記下横杆部に前記主枠体に対して略直角に荷台を取り付け、左右縦アームと下横アームからなる補助枠体を設け、該補助枠体の左右縦アームの下端部に自在キャスターを取り付け、前記左右縦アームの上部を前記主枠体の上下方向中間部に揺動可能に連結し、前記主枠体と前記補助枠体とを所定の角度に固定するストッパーを備え、前記主枠体の左右縦杆の上端部にハンドルを伸縮自在に連結したこと、を特徴としている。
請求項２に係る考案は、ハンドルは主枠体の左右縦杆の上端部に左右それぞれ独立して伸縮自在かつ回転自在に連結されているものである。
請求項３に係る考案は、補助枠体の左右縦アームの上部に楽器支え側板を前記左右縦アームの延長線に沿って配置可能に取り付けたものである。
【考案の効果】
【０００７】
請求項１に係る考案によれば、左右縦杆と上下横杆からなる縦長の主枠体を設け、該主枠体の左右縦杆の下端部に固定キャスターを取り付け、前記下横杆部に前記主枠体に対して略直角に荷台を取り付け、左右縦アームと下横アームからなる補助枠体を設け、該補助枠体の左右縦アームの下端部に自在キャスターを取り付け、前記左右縦アームの上部を前記主枠体の上下方向中間部に揺動可能に連結し、前記主枠体と前記補助枠体とを所定の角度に固定するストッパーを備え、前記主枠体の左右縦杆の上端部にハンドルを伸縮自在に連結したので、大型楽器を荷台上に載せ、主枠体側の固定キャスターと補助枠体側の自在キャスターとの４輪で運搬することができ、重くて大きな大型楽器を安定性よく楽に運搬することができる。
請求項２に係る考案によれば、ハンドルは主枠体の左右縦杆の上端部に左右それぞれ独立して伸縮自在かつ回転自在に連結されているので、左右のハンドルを任意の伸縮位置、回転角度に調整することができ、一番持ち易い状態に調整できるため、より楽に運搬することができる。
請求項３に係る考案によれば、補助枠体の左右縦アームの上部に楽器支え側板を前記左右縦アームの延長線に沿って配置可能に取り付けたので、楽器支え側板が荷台上に載せた大型楽器を側面から支え、荷台上に安定性よく載置できる。
【図面の簡単な説明】
【０００８】
【図１】本考案の実施例による大型楽器用キャリーカートの斜視図である。
【図２】楽器支え側板の揺動、ハンドルの回転の動きを示す斜視図である。
【図３】ハンドル部の動きを説明する斜視図である。
【図４】大型楽器用キャリーカートに楽器ケースを載せた状態の斜視図である。
【図５】大型楽器用キャリーカートを折りたたんだ状態の斜視図である。
【考案を実施するための形態】
【０００９】
以下、本考案の実施例を図面に基づいて具体的に説明する。本考案の実施例による大型楽器用キャリーカート１は、左右縦杆２，２と上下横杆３，３からなる主枠体４と、該主枠体４に揺動可能に連結される補助枠体５と、主枠体４の上端部に連結されるハンドル６を主な構成要素とする。
【００１０】
主枠体４は、左右縦杆２，２と上下横杆３，３からなり縦長に形成され、該主枠体４の左右縦杆２，２の下端部に固定キャスター７，７を取り付け、下横杆３（３ａ）部に主枠体４に対して略直角に荷台８を取り付けてある。
【００１１】
補助枠体５は、左右縦アーム９，９と下横アーム１０からなり、該補助枠体５の左右縦アーム９，９の下端部に自在キャスター１１，１１を取り付け、左右縦アーム９，９の上部を主枠体４（左右縦杆２，２）の上下方向中間部を中心として揺動可能に連結してある。
【００１２】
主枠体４の左右縦杆２，２はパイプ状をなし、その上端部には、左右のハンドル６，６をそれぞれ独立して伸縮自在かつ回転自在に連結してある。ハンドル６は、伸縮自在の連結部を構成するハンドル主体６ａの上端部にＬ字継手６ｂを介してハンドルグリップ６ｃを取り付けてなる。連結部には締付けネジ１２を取り付けてある。これにより、左右のハンドル６，６を独立して所望の角度に固定できる。例えば、図３に示すように、左右ハンドル６，６を互いに反対側を向くように固定することも（同図（ａ））、互いに向き合うように固定することも（同図（ｂ））、９０度回転させて同方向を向くように固定することも（同図（ｃ））できる。その他、左右のハンドル６，６を任意の角度で固定することもできる。
また、左右のハンドル主体６ａもそれぞれ独立して伸縮自在のため、任意の伸縮位置で固定することもできる。このため、例えば、両側から２人でそれぞれに所望のハンドル位置（ハンドル主体の伸縮位置、ハンドルの回転角度）に調整したハンドル６，６をそれぞれ持って運搬することも容易にできる。
【００１３】
補助枠体５の左右縦アーム９，９の上部には楽器（楽器ケース）を支える楽器支え側板１３を揺動可能に取り付けてある。楽器支え側板１３は、折りたたみ収納時にはフリーの状態で左右縦アーム９，９に沿って配置され（図２）、荷台８に楽器を載せて運搬する際には半周回転させ左右縦アーム９，９の延長線に沿って配置させて、載せた楽器（楽器ケース）の左右側面を支える側板として使用する。
楽器支え側板１３は、その一端側の支点１４を中心に揺動し、左右縦アーム９，９の上端部の固定ピン１５に側板１３に形成した係止溝部１６を係止させ、左右縦アーム９，９の延長線に沿って配置させて使用する。
このように、楽器支え側板１３は補助枠体５を利用してその左右縦アーム９，９の上部に簡単な構造で取り付けることができる。
【００１４】
補助枠体５の縦アーム９の上部にはストッパー（ストッパーアーム）１７の一端側を連結してあり、他端側に設けた係止孔１８を主枠体４の縦杆２に設けたピン１９に係止して連結することにより、主枠体４と補助枠体５とを所定の角度に固定する。これにより、主枠体４側の固定キャスター７，７と補助枠体５側の自在キャスター１１，１１との４輪で支持することとなり、安定して大型楽器を運搬することができる。
４輪のキャスター７，７，１１，１１は、従来の楽器ケース側に取り付ける場合に比べ大きさの制約がなく、大きな車輪を用いることができる。このため、運搬時の安定性は従来に比べ格段に向上する。
【００１５】
補助枠体５側の自在キャスター１１，１１はストッパー２０，２０を備えており、該ストッパー２０を機能させることにより、キャリーカート１が動かないように固定することができる。
【００１６】
なお、図中符号２１は、左右縦杆２の上下方向中間部に設けた中間支点部で、左右中間支点部２１，２１間に横板２２を架けわたして、主枠体４を補強している。補助枠体５は中間支点部２１を中心として主枠体４に揺動可能に連結されている。
【００１７】
次に、本考案による大型楽器用キャリーカート１の使用法を説明する。使用に際しては、主枠体４に対して補助枠体５をストッパーアーム１７で固定して所定角度にセットし、補助枠体５側のキャスターのストッパー２０，２０を操作してキャスター１１，１１を固定する。このとき、楽器支え側板１３はフリーの状態のままとする。この状態で大型楽器を収納した楽器ケース２３を縦向きにして荷台８上に載置し、主枠体４で支える。次いで、楽器支え側板１３をセットして楽器ケース２１を側面から支える。この状態で、ハンドル６，６を所望の伸縮位置、ハンドル角度にセットして締付けネジ１２でハンドル位置を固定する。次いで、キャスターのストッパー２０，２０を解除してハンドル６，６を押して又は引いて運搬する（図４）。
【００１８】
これにより、大型で重い楽器（例えば、チューバ（楽器ケースも含めて質量２５〜３０ｋｇ程度）やバリトンサックス）を大型楽器用キャリーカート１に載せて安定性良く楽に運搬することができる。特に、非力の未成年や女性でも、楽に大型楽器を運搬することができる。
【００１９】
使用しないときは、ストッパーアーム１７の係止孔１８とピン１９との係止を解除して補助枠体５を折りたたみ、楽器支え側板１３の係止を解除して楽器支え側板１３を左右縦アーム９，９に沿って垂下させて折りたたみ、左右ハンドル６，６を縮めるとともにハンドルグリップ６ｃを互いに向き合わせ、図５に示すように、コンパクトにして保管することができる。
【符号の説明】
【００２０】
１  大型楽器用キャリーカート
２  縦杆
３  横杆
３ａ  下横杆
４  主枠体
５  補助枠体
６  ハンドル
６ａ  ハンドル主体
６ｂ  Ｌ字継手
６ｃ  ハンドルグリップ
７  固定キャスター
８  荷台
９  縦アーム
１０  横アーム
１１  自在キャスター
１２  締付けネジ
１３  楽器支え側板
１４  支点
１５  固定ピン
１６  係止溝部
１７  ストッパー（ストッパーアーム）
１８  係止孔
１９  ピン
２０  ストッパー
２１  中間支点部
２２  横板
２３  楽器ケース
【図１】
0003230648.tif 000003
【図２】
0003230648.tif 000004
【図３】
0003230648.tif 000005
【図４】
0003230648.tif 000006
【図５】
0003230648.tif 000007